(57)【要約】【課題】建物内における省スペース化を図り、かつ、熱交換ユニットのメンテナンス性の良い空調室内機を得る。【解決手段】室内機３２は、床上に配置されると共に室内空気の吸込口５０を備え、内部に熱交換器４６を備えると共に空調空気を生成する熱交換ユニット４０と、床下に配置されると共に吹出口７０を備え、内部に送風機６６を備えると共に、当該吹出口７０から前記床下に配置されたダクト７４に熱交換ユニット４０で生成された前記空調空気を送る送風ユニット４２と、を備えている。【選択図】図１
2019082295.tif 000002
【特許請求の範囲】
【請求項１】
床上に配置されると共に室内空気の吸込口を備え、内部に熱交換器を備えると共に空調空気を生成する熱交換ユニットと、
床下に配置されると共に吹出口を備え、内部に送風機を備えると共に、該吹出口から前記床下に配置されたダクトに前記熱交換ユニットで生成された前記空調空気を送る送風ユニットと、
を備える空調室内機。
【請求項２】
前記熱交換ユニットと前記送風ユニットが、前記床上の空間と前記床下の空間と跨いで設けられるアダプタを介して接続される請求項１に記載の空調室内機。
【請求項３】
前記熱交換ユニットが、前記アダプタに着脱可能に接続される請求項２に記載の空調室内機。
【発明の詳細な説明】
【技術分野】
【０００１】
本発明は、空調室内機に関する。
【背景技術】
【０００２】
従来より、ユニット住宅等の建物に適用されるセントラル空調システム(全館空調システム）では、空調室内機によって生成された空調空気を、床下空間に配置された空調ダクトやチャンバ等の通気部材を介して、各居室空間へ供給する構成が提案されている。
【０００３】
このような空調システムが適用された建物においては、建物内に機械室を作り、機械室に空調室内機等を設置することが多い。したがって、空調室内機の省スペース化を図り、機械室が小型化されることが望ましい。
【０００４】
上記の背景の下、下記特許文献１に記載された空調室内機の構造を適用できないかを以下に検討する。この先行技術では、空調室内機の一部を建物の床下に埋設するように配置している。そして、床上に出ている部分に空気吸込口を設ける一方で、床下に埋設した部分から空調装置によって生成された空調空気を送風している。このため、空調室内機の床上を占めるスペースが縮小されて、空調室内機の省スペース化が図られている。
【先行技術文献】
【特許文献】
【０００５】
【特許文献１】特開２００１−２３７５８０号公報
【発明の概要】
【発明が解決しようとする課題】
【０００６】
ところで、空調室内機には、室内空気を吸引する吸込口を構成するフィルタの清掃や、熱交換器の結露によって生じた水滴を受け止めるベースパンに設置されるフロートスイッチの点検等、熱交換ユニットの定期的なメンテナンスが必要となる。ここで、特許文献１に記載の構成では、空調室内機の内部の構成が明らかになっておらず、上記のような空調室内機のメンテナンスをどのように行うかは明らかにされていない。
【０００７】
本発明は上記事実に鑑みてなされたものであり、建物内における省スペース化を図り、かつ、熱交換ユニットのメンテナンス性の良い空調室内機の提供を目的とする。
【課題を解決するための手段】
【０００８】
上記目的を達成するための第１の態様に係る空調室内機は、床上に配置されると共に室内空気の吸込口を備え、内部に熱交換器を備えると共に空調空気を生成する熱交換ユニットと、床下に配置されると共に吹出口を備え、内部に送風機を備えると共に、該吹出口から前記床下に配置されたダクトに前記熱交換ユニットで生成された前記空調空気を送る送風ユニットと、を備えている。
【０００９】
第１の態様では、空調室内機は、内部に熱交換器を備えた熱交換ユニットと、内部に送風機を備える送風ユニットを備えている。この空調室内機では、熱交換ユニットの取入れ口から室内空気を取入れて、空調空気が生成されている。そして、生成された空調空気が、送風ユニットの吹出口から床下に配置されたダクトに送られる。また、送風ユニットが床下に配置されているため、建物内における空調室内機の省スペース化が図られる。さらに、熱交換ユニットが床上に配置されているため、熱交換ユニットのメンテナンス性が良い。
【００１０】
第２の態様は、第１の態様において、前記熱交換ユニットと前記送風ユニットが、前記床上の空間と前記床下の空間と跨いで設けられるアダプタを介して接続されている。
【００１１】
第２の態様では、空調室内機を構成する熱交換床ユニットと送風ユニットを別部材とすることで、床下に送風ユニットを組み付ける作業が容易に行える。また、熱交換ユニットと送風ユニットとを別部材として施工現場に搬入できるため、搬入時における作業員の負荷が軽減される。さらに、アダプタの寸法変更等を行えば個々の住宅の床下構造のばらつきに対応できるため、熱交換ユニットと送風ユニットの汎用性を高めることができる。
【００１２】
第３の態様は、第２の態様において、前記熱交換ユニットが、前記アダプタに着脱可能に接続されている。
【００１３】
第３の態様では、床上に配置された熱交換ユニットを、アダプタから着脱することができるため、熱交換ユニットの内部点検を容易に行える。また、床下に配置された送風ユニットやダクトへのアクセスが容易に行えるため、送風ユニットやダクトのメンテナンス時における作業負担が軽減される。
【図面の簡単な説明】
【００１４】
【図１】本実施の形態に係る室内機が設置された機械室の縦断面図である。
【図２】本実施形態に係る室内機の分解斜視図である。
【図３】本実施の形態に係る室内機が設置された機械室において、機械室の扉の一部を切り欠いた正面図である。
【図４】本実施の形態に係る室内機が適用された建物の空調設備の概略を示す構成図である。
【図５】図１に示される機械室を備えたユニット建物の概略を示す斜視図である。
【発明を実施するための形態】
【００１５】
以下、図１〜図５を用いて、本実施形態に係る室内機３２（空調室内機）について説明する。
【００１６】
まず、図４、図５に基づいて、本実施形態に係る室内機３２を備えた建物１０について説明する。建物１０は、一例として、２階建てのユニット式建物とされている。建物１０の構造は、基礎１２上に複数の建物ユニット１４が水平方向（縦横）に配置されると共に、上下に重ねられたものとなっている。そして、縦横及び上下に隣接して配置された建物ユニット１４が互いに連結されて１階部分及び２階部分が形成されている。
【００１７】
図５に示されるように、それぞれの建物ユニット１４は、４本の柱１６と、それぞれの柱１６の上端部に接合され、平面視で略矩形状とされた天井梁１８と、それぞれの柱１６の下端部に接合され、平面視で略矩形状とされた床梁２０とを備えている。また、長手方向の一対の天井梁１８の間には、短手方向の天井梁１８に対して略平行に配置された複数の天井小梁１９が架け渡されている。一方、長手方向の一対の床梁２０の間には、短手方向の床梁２０に対して略平行に配置された複数の床小梁２１が架け渡されている。
【００１８】
そして、上述した、天井梁１８の間に配置された天井小梁１９を天井下地に天井板２４が固定されて天井パネル２２が形成されている。同様に、床梁２０の間に配置された床小梁２１を床下地に床板２６が固定されて床パネル２３が形成されている。
【００１９】
さらに、建物１０では、建物ユニット１４の内部が間仕切り壁２８により区画されることで、居室の他、廊下や物入れなどの小部屋が形成されている。
【００２０】
ここで、建物１０には、空調設備３６を主要部とする全館空調システムが設けられている。この空調設備３６では、室内機３２と、図示しない室外機と、室内機３２に接続されるダクト及びチャンバなどの空調設備により、空調空間を空調する一連のシステムが構成されている。本実施形態では、室内機３２が建物１０の１階部分における床板２６に対して貫通配置されていると共に、室外機が建物１０の外部（屋外）に配置されている。そして、ダクトやチャンバ等の空調設備によって、室内機３２と、建物１０の一階部分及び二階部分に設けられた複数の居室２９とが連通されている。これにより、空調設備３６は、主に建物１０の全体を一体的に空調している。
【００２１】
図４に示されるように、建物１０の一階部分には、機械室３０と、複数の居室２９Ａ、２９Ｂが設けられている。本実施形態では、建物ユニット１４の内部に間仕切り壁２８を設けて、居室２９Ｂに隣接する空間に機械室３０が形成されている。なお、機械室３０は、建物１０内に設けられる図示しない廊下スペースや、一階部分と二階部分とを連通する図示しない階段スペースにおける階段下の空間に形成してもよい。図１に示されるように、間仕切り壁２８には両開きの扉３４が設けられており、居室２９Ｂ側から扉３４を開放することによって機械室３０へ入室可能とされている。扉３４の下端にはドアアンダーカットが施されており、床板２６と扉３４の下端部に隙間３５が設けられている。その結果、隙間３５を通じて、居室２９Ｂの室内空気が機械室３０の内部に流れやすくなっている。
【００２２】
図１及び図４に示されるように、機械室３０内には室内機３２が設置されている。この室内機３２は、機械室３０の床板２６を貫通するように設置されており、床上に配置される部分と、床下に配置される部分とを備えている。具体的に説明すると、室内機３２は熱交換ユニット４０と送風ユニット４２を備えている。この熱交換ユニット４０と送風ユニット４２は共に筐体をなし、構造的には、送風ユニット４２の上側にアダプタ４４を介して熱交換ユニット４０が重ねられるようにして接続されている。そのため、室内機３２は、上側に熱交換ユニット４０を備え、下側に送風ユニット４２を備えた略直方体形状の筐体として一体に構成されている。また、本実施形態では、アダプタ４４は、機械室３０の床板２６に形成された貫通口３１に固定されている。その結果、室内機３２が床板２６に対して貫通配置されることとなり、床上部分には熱交換ユニット４０が設けられ、床下部分には送風ユニット４２が設けられる構成とされている。
【００２３】
次に、熱交換ユニット４０について詳細に説明する。熱交換ユニット４０は、主として、熱交換器４６と、床上筐体４８を備えている。
【００２４】
図１、図２に示されるように、床上筐体４８は、床板２６に面して開放された筐体として構成されている。また、扉３４側に面した床上筐体４８の前面には、室内空気を吸い込むための吸込口５０が形成されている。この吸込口５０にはフィルタ５２が着脱可能に装着されており、吸い込まれた室内空気がフィルタ５２を通過する際に塵埃が捕集されるようになっている。
【００２５】
さらに、床上筐体４８の前面の前方側には、筐体をなす吸音ボックス５４が設けられ、熱交換ユニット４０で発生する空気音や機械音が室内機３２の外部に漏れることを抑制している。一例として、吸音ボックス５４は、吸込口５０側に開放された筐体として構成されており、開放された側面の周縁部が吸込口５０の周辺部を囲むように床上筐体４８の前面に接続されている。これにより、吸込口５０の前方が吸音ボックス５４で覆われるため、吸込口５０で発生する空気音が抑制されている。なお、吸音ボックス５４の内部側面にグラスウール等の防音材を設定してもよい。ところで、床板２６に面した吸音ボックス５４の下面には図示しない開口部が形成されており、機械室３０に取り込まれた室内空気は、当該開口部を経て吸込口５０に吸い込まれる構成とされている（図１に示す白抜き矢印参照）。また、機械室３０の天井面に面した吸音ボックス５４の上面は、着脱可能な蓋部４９として構成されている。このため、蓋部４９を外した状態にすることで、室内機３２のフィルタ５２の交換や清掃といった作業をすることができる。なお、熱交換ユニット４０に、吸音ボックス５４を設けない構成としてもよい。
【００２６】
また、床上筐体４８の前面及び室内機３２の幅方向（図３のＸ方向）の左右両側面の下端部には、フランジ５６が一体形成されており、建物１０に室内機３２を設置した状態では、後述するアダプタ４４を介してフランジ５６が床板２６に支持されている。図２に示されるように、床上筐体４８の背面の下端部には、２つの略Ｌ字型のブラケット５８が所定の間隙を空けて配設されている。このブラケット５８は、それぞれ一端面を床上筐体４８の背面における外側面に固定されている。そして、他端面は、それぞれ床上筐体４８の外側方向に突出している。なお、ブラケットの設置数は２つに限らず、適宜選択すればよい。
【００２７】
図１に示されるように、熱交換器４６は、床上筐体４８の内部に設けられている。具体的には、床上筐体４８の内部において吸込口５０と対向して配置されており、吸込口５０から吸い込まれた室内空気が熱交換器４６を通過するように配置されている。また、当該熱交換器４６の下端周辺には熱交換器の表面の結露によって生じる水滴を受けるベースパン６０が設けられている。より具体的に説明すると、ベースパン６０は、床上筐体の内部において、床上筐体４８の前面における下端周辺に固定されている。そして、ベースパン６０の上側面に、図示しない脚部材を介して熱交換器４６が固定されている。
【００２８】
なお、ベースパン６０には図示しない排水穴が形成されており、ベースパン６０に溜まった水が、排水穴と接続された図示しないホースを通って屋外に排出される構成とされている。さらに、ベースパン６０には、水位を検知する図示しないフロートスイッチが搭載され、全館空調システムの制御部に電気的に接続されている。そして、所定の水位が検知されると、制御部によって全館空調システムの運転が制御され、熱交換器４６の下端が水に浸ったり、ベースパン６０から漏水したりすることが防止されている。
【００２９】
熱交換器４６の構造は、一例として、室内機３２の幅方向（図３のＸ方向）に沿って互いに所定の間隔を隔てて配置される複数のフィン６２に対して略垂直方向に貫通する図示しない伝熱管とを有している。なお、当該フィンはアルミニウムなどの放熱効果の高い材料からなる板金をプレス加工することによって製造される。伝熱管は図示しない冷媒回路の一部を構成しており、当該冷媒回路を介して熱交換器４６と室外機との間で冷媒が循環される構成とされている。
【００３０】
次に、送風ユニット４２について詳細に説明する。送風ユニット４２は、主として、送風機６６と、床下筐体６８とを備えている。
【００３１】
図１、図２に示されるように、床下筐体６８は、床板２６に面して開放された筐体として構成されており、建物１０の床下に載置されている。床下筐体６８には、熱交換ユニット４０で生成された空調空気を床下に配置されたダクト７４へ送るための吹出口７０が設けられ、その内部には送風機６６が収納されている。吹出口７０は送風ユニットの前面に設けられ、吹出口７０には送風機６６から吹き出される空調空気を導入するチャンバ７２が設けられている。そして、チャンバ７２には、各居室２９Ａ、２９Ｂと連通する複数のダクト７４が接続されている。なお、床下筐体６８の断面形状は、床上筐体４８の断面形状と略同一とされている。
【００３２】
送風機６６は、一例として、図示しないファンモータと、このファンモータの回転軸に一方の支軸が機械的に連結されるファン７６と、ファン７６を内部に収納して空調空気を整流するカバー部材８０から構成されている。ファン７６は、一例として、略円柱体の筒状体をなす所謂クロスフローファンとされている。具体的には、長手方向が室内機３２の幅方向（図３のＸ方向）に沿って配置され、筒状体の周方向に所定の間隔を空け、図示しない複数の羽が固定されている。そして、ファンモータの軸部を回転駆動させてファン７６を回転させると、周方向から空調空気を吸い込み、周方向へ吹き出すことができる。また、ファン７６は、カバー部材８０の内部に収納されており、当該カバー部材８０によって、熱交換ユニット４０で生成された空調空気は、ファン７６の上方から吸い込まれ、送風ユニット４２の吹出口７０のある前方側へと吹き出されるように整流されている。
【００３３】
次に、アダプタ４４について詳細に説明する。
【００３４】
アダプタ４４は、図２に示されるように、断面形状が略矩形の筒体として構成されている。なお、当該断面形状は、床上筐体４８及び床下筐体６８の断面形状と略同一とされている。当該筒体は床板２６に形成された貫通口３１に挿通可能とされており、建物１０に室内機３２を設置した状態では、床板２６に対し貫通配置されている（図１参照）。また、アダプタ４４の前面及び室内機３２の幅方向（図３のＸ方向）の左右両側面の上端部には、フランジ８４が一体形成されている。このフランジ８４における室内機３２の幅方向（図３のＸ方向）の左右両側を構成する部分には、所定の間隔を空けて複数のボルト挿通孔８６が形成されており、当該ボルト挿通孔８６にねじ部材８８を挿通させて床板２６に留め付ける構成としている。
【００３５】
アダプタ４４の背面の上端には、略Ｌ字型のブラケット９０が接続されている。図２に示されるように、ブラケット９０の一端面には、長手方向の端部から屈曲部分まで延設された略矩形状の切欠き９２が形成されており、切欠き９２が形成された一端面がアダプタ４４の背面の外側面に固定されている。そして他端面がアダプタ４４の外側方向に突出するように配置されている。
【００３６】
ここで、図２に示されるように、ブラケット９０は上記他端面の下方側がアダプタ４４の背面の上端に対して若干浮いた状態となるように固定されている。そのため、アダプタ４４を正面視で見た場合に、その背面の上端部分の稜線と、切欠き９２によって略矩形状の挿入部９４が形成される。そして、この挿入部９４に、ブラケット５８における床上筐体４８から外側に突出した他端面を挿入させることで、熱交換ユニット４０がアダプタ４４に固定されている。
【００３７】
なお、アダプタ４４の下端は、送風ユニット４２を構成する床下筐体６８の上端と図示しない取付ブラケットにより接続されている。これにより、送風ユニット４２がアダプタ４４に固定されている。
【００３８】
以上が、本実施形態に係る室内機３２の構成である。なお、一例として、床上筐体４８、床下筐体６８、並びにアダプタ４４は、亜鉛鉄板により構成されている。なお、これらは、ステンレスや鋼板により構成されてもよい。
【００３９】
次に、室内機３２の設置方法について以下に説明する。
【００４０】
まず、送風ユニット４２とアダプタ４４を接続する。具体的には、床下筐体６８の上端部とアダプタ４４の下端部を図示しない取付ブラケットにより連結させる。また、ブラケット９０をアダプタ４４の背面における上端に取り付ける。次に、送風ユニット４２を、貫通口３１から床下へ降下させる。これにより、送風ユニット４２が、床下に配置される。次に、アダプタ４４の上端に設けたフランジ８４を床板２６に留め付ける。具体的には、ねじ部材８８をフランジ８４に形成されたボルト挿通孔８６に挿通させて締結させる。これにより、アダプタ４４が床板２６に固定される。
【００４１】
次に、熱交換ユニット４０とアダプタ４４に固定する。このために、ブラケット９０は、予め床上筐体４８の背面における下端に取り付けられている。そして、床上筐体４８の外側に向かって突出したブラケット９０の他端面を、アダプタ４４とブラケット９０により形成された挿入部９４に機械室３０の前方から挿入する。これにより、熱交換ユニット４０がアダプタ４４に固定される。以上により、機械室３０に室内機３２を設置することができる。
【００４２】
（作用並びに効果）
次に、本実施形態の作用並びに効果について説明する。
【００４３】
本実施形態の室内機３２を適用した空調設備３６を運転させた状態では、一階部分に設けられた複数の居室２９の室内空気は、それぞれの居室２９と連通された居室２９Ｂに誘導される。居室２９Ｂでは、図１において白抜き矢印で示されるように、機械室３０の扉３４の下端に施されたドアアンダーカットを通じて機械室３０の内部に誘導され、吸音ボックス５４の開口部を経て、熱交換ユニット４０の吸込口５０から吸い込まれる。そして、室内空気が熱交換器４６を通過する際に熱交換が行われ、空調空気が生成される。当該空調空気は、アダプタ４４を介して床下に配置された送風ユニット４２に吸い込まれる。その後、送風機６６によって、吹出口７０からチャンバ７２へと空調空気が送られる。チャンバ７２を通過した空調空気は、複数のダクト７４を通じてそれぞれの居室２９に送られる。これにより、空調設備３６により、建物１０の一階部分に設けられた複数の居室２９の空調を快適に保つことができる。なお、居室２９Ａ、２９Ｂにおいては、ダクト７４の端部がそれぞれの居室２９Ａ、２９Ｂの床板２６に設けられた空調吹出口９６に接続されており、当該空調吹出口９６からそれぞれの居室２９Ａ、２９Ｂの内部に空調空気が供給される。
【００４４】
また、本実施形態の室内機３２は、室内機３２を構成する送風ユニット４２が床下に配置される。従って、図３に示すように、床板２６からは熱交換ユニット４０のみが突出する構成とされており、室内機３２の床上を占めるスペースの省スペース化が図られている。また、これに伴って機械室３０の小型化を図ることができ、ひいては建物１０の設計自由度が向上される。
【００４５】
一方、熱交換ユニット４０が床上に配置されているため、熱交換ユニット４０のメンテナンス作業は建物１０内の機械室３０から行うことができる。このため、熱交換ユニット４０のメンテナンス性を良好に保っている。
【００４６】
具体的には、床上筐体４８に取り付けられたフィルタ５２の清掃や交換といった作業を行う場合は、機械室３０の扉３４を解放した状態にし、作業者の手前に位置する吸音ボックス５４の蓋部４９を取り外す。そして、上方から吸音ボックス５４に手を挿入して、フィルタ５２を取り外し、清掃や交換といった作業を行うことができる。
【００４７】
また、機械室３０から熱交換ユニット４０を前方側に移動させると、熱交換ユニット４０をアダプタ４４から取り外すことができる。このため、熱交換器４６やベースパン６０の清掃、ベースパン６０に設けられたフロートスイッチの点検といった作業を行う場合は、適宜作業場所を選択しながら行える。その結果、作業者に無理な作業姿勢を強いることがなく、作業負担が軽減される。
【００４８】
このように、本実施形態の室内機３２では、室内機３２の省スペース化と熱交換ユニット４０のメンテナンス性を良好に保つという効果が両立されている。
【００４９】
さらに、熱交換ユニット４０をアダプタ４４から取り外した状態にすると、機械室３０から送風ユニット４２の内部に容易にアクセスできる。また、熱交換ユニット４０の干渉を受けることなく送風ユニット４２内部の分解、点検、清掃といった作業を行うことができるため、作業性が良い。ひいては、送風ユニット４２と接続されたチャンバ等の点検作業も容易となる。
【００５０】
一方、室内機３２は、熱交換ユニット４０と送風ユニット４２が、床上の空間と床下の空間と跨いで設けられるアダプタ４４を介して接続されているため、室内機３２の設置作業において、床下に配置される送風ユニット４２の設置と、床上に配置される熱交換ユニット４０の設置とを別途行うことができる。このため、設置作業時に作業員に課す重量負担が少ない。また、室内機３２が設置される機械室３０の天井が低く設定されている場合であっても、設置作業を容易に行うことができる。さらに、施工現場に室内機３２を搬入する際にも、熱交換ユニット４０、送風ユニット４２、アダプタ４４ごとに別部材として搬入できるため、作業員の負担が軽減される。
【００５１】
また、個々の住宅によって、床下空間の高さ寸法にずれが生じる場合であっても、比較的単純な構造をなすアダプタ４４の設計を変更するだけで、様々な寸法の床下空間に対応することができる。このため、熱交換ユニット４０及び送風ユニット４２の汎用性を高めることができる。
【００５２】
ところで、送風ユニット４２では、送風機６６によって空調空気の風力が増しているため、送風ユニット４２を通過する際に空気音が発生しやすくなっている。その点、室内機３２の送風ユニット４２は床下に配置されているため、空気音が建物１０に漏れることが防止又は抑止されている。このため、室内機３２から発生する機械音を抑制して、建物１０の内部を快適な住環境とすることができる。
【００５３】
以上、本発明に係る実施形態について説明したが、本発明はこうした実施形態に限定されるものではなく、本発明の要旨を逸脱しない範囲において、種々なる態様で実施し得ることは勿論である。
【００５４】
例えば、本実施形態ではユニット式建物の建物１０に室内機３２が適用された場合を例に説明したが、建物はユニット式に限るものではなく、鉄骨軸組工法により構築される建物や、在来木造工法により構築される建物に適用してもよい。
【００５５】
また、本実施形態の室内機３２は、建物１０の全館空調システムを構成する空調設備３６に適用されているところ、空調設備３６は建物１０における一階部分の空調空間の空調を担っている。しかしながら、本発明はこれに限るものではなく、空調設備３６が一階部分と同時に二階部分の空調を担う構成としてもよい。例えば、室内機３２から延設されるダクト７４を一階の居室２９だけではなく、二階部分に設けられた空調空間へ連通させてもよい。
【００５６】
また、機械室３０は、居室２９Ｂに間仕切り壁２８を設けて形成される小部屋状の空間としたが、本発明はこれに限らない。例えば、機械室３０は、階段下などの傾斜スペースや、梁の構造上、建物１０内に生じてしまった凹凸部などの小さなスペースを利用して形成されてもよい。
【００５７】
また、本実施形態では、熱交換ユニット４０と送風ユニット４２が別部材のアダプタ４４を介して接続されているが、本発明はこれに限らない。例えば、床板２６に貫通配置されるアダプタ４４を送風ユニット４２の床下筐体６８に一体形成して、熱交換ユニット４０が送風ユニット４２に直接接続される構成としてもよい。
【００５８】
さらに、熱交換ユニット４０の内部の清掃や点検作業は熱交換ユニット４０をアダプタ４４から取り外して行う構成としたが、これに限られない。例えば、熱交換ユニット４０を構成する床上筐体４８の上面を着脱可能な蓋部材とし、熱交換ユニット４０をアダプタ４４に接続した状態で内部の点検作業等を行うことができる構成としてもよい。
【符号の説明】
【００５９】
３２    室内機（空調室内機）
４０    熱交換ユニット
４２    送風ユニット
４６    熱交換器
５０    吸込口
６６    送風機
７０    吹出口
７４    ダクト
【図１】
2019082295.tif 000003
【図２】
2019082295.tif 000004
【図３】
2019082295.tif 000005
【図４】
2019082295.tif 000006
【図５】
2019082295.tif 000007